Podtech/llm-jp-corpus-v4-ja_patent huggingface dataset:
(57)【要約】【課題】  キャリッジ軸のたわみによる紙間変動のないインクジェット記録装置を提供する。【解決手段】  キャリッジの往復動をガイドするキャリッジ軸を本体の左右側板に固定する際、左側板とは固定し、右側板に対しては係合穴からキャリッジ軸を突出させ、右側板外側のキャリッジ軸突出部に荷重をかけることでキャリッジの重量によるキャリッジ軸のたわみをキャンセルするように固定した。【選択図】  図１
2007160874.tif 000002
【特許請求の範囲】
【請求項１】
インクを吐出して記録媒体に記録を行う記録手段を保持するキャリッジと、
前記キヤリッジを前記記録媒体の搬送方向に直行する方向に往復移動可能に支持するキャリッジ軸を有するインクジェット記録装置において、
前記キャリッジ軸を本体の左右側板に固定する際、左側板とは固定し、右側板に対しては係合穴からキャリッジ軸を突出させ、右側板外側のキャリッジ軸突出部に荷重をかけてキャリッジの重量によるキャリッジ軸のたわみをキャンセルするように固定したことを特徴とするインクジェット記録装置。
【発明の詳細な説明】
【技術分野】
【０００１】
本発明は、キャリッジの往復動により記録シート材にインク液滴を吐出してシリアル記録を行うインクジェット記録装置に関する。
【背景技術】
【０００２】
インクジェットヘッドを保持して往復移動するキャリッジはキャリッジ軸によって往復移動可能に支持されていた。
【０００３】
従来例としては、例えば特許文献１と特許文献２をあげることが出来る。
【特許文献１】特開２００４−１６０９４５号公報
【特許文献２】特開平８−２２４８６６号公報
【発明の開示】
【発明が解決しようとする課題】
【０００４】
キャリッジが往復動する際、ガイドであるキャリッジ軸の中央部分においてはキャリッジの重量により軸がたわみ、記録シート材との間隔が変動してしまうという問題があった。
【０００５】
本発明は前記課題を解決するものであり、その目的とするところはキャリッジの往復動において紙間変動のないインクジェット記録装置を提供するものである。
【課題を解決するための手段】
【０００６】
上記目的を達成するための本発明の構成は、
インクを吐出して記録媒体に記録を行う記録手段を保持するキャリッジと、
前記キヤリッジを前記記録媒体の搬送方向に直行する方向に往復移動可能に支持するキャリッジ軸を有するインクジェット記録装置において、
前記キャリッジ軸を本体の左右側板に固定する際、左側板とは固定し、右側板に対しては係合穴からキャリッジ軸を突出させ、右側板外側のキャリッジ軸突出部に荷重をかけてキャリッジの重量によるキャリッジ軸のたわみをキャンセルするように固定したことを特徴とするインクジェット記録装置である。
【発明の効果】
【０００７】
本発明によれば、キャリッジの往復動において紙間変動のないインクジェット記録装置を提供することができる。
【発明を実施するための最良の形態】
【０００８】
（実施例１）
以下、図面を参照して、本発明を適用した記録装置の実施の形態について具体的に説明する。図１は本発明のインクジェット記録装置の第1実施例を示す概略断面図である。ヘッド2はキャリッジ1に搭載されており、キャリッジ軸3をガイドに不図示のモータにより往復動を行う。キャリッジ軸3の材料には金属が用いられる。キャリッジ軸3はＰ1位置にて側板5に対し固定されており、側板6に対しては多少のがたをもって係合している。側板6及び側板7は底板8に固定されている。7は調整ねじで、これを回転することによりキャリッジ軸3のＰ３位置を下方向に押圧可能である。4はプラテンで、不図示の給送ローラにより搬送される記録シート材を案内する。
【０００９】
次に本発明におけるヘッド2とプラテン4のギャップ調整の方法を説明する。ギャップ調整が行われていない場合のキャリッジ軸3の状態を二点鎖線で示すが、ヘッド1とプラテン4の間隔Ｇはキャリッジ1とヘッド2の重量によるキャリッジ軸3のたわみにより、Ｂ方向にヘッド2が移動して中央付近で小さくなる。ここで調整ねじ7を回転させ、キャリッジ軸3のＰ3位置を押圧することで、Ｐ2位置を支点にしてキャリッジ軸3はＡ方向に変形しようとする力が働くため、キャリッジ1及びヘッド2の重量によるキャリッジ軸3のＢ方向への変形量を小さくすることが可能となる。よって、プラテン4の全域にわたり、ヘッド2との間隔Ｇの変化が最小となるように調整することが可能となる。本発明において、キャリッジ軸のＰ3位置への押圧のために調整ねじを用いたが、例えばばね等で下方向に荷重をかける等の他の押圧手段でも適用可能なのは言うまでもない。
【００１０】
（実施例２）
実施例1と同様の部分に関しては説明を省く。図2は本発明のインクジェット記録装置の第2実施例を示す概略断面図である。キャリッジ軸3は側板50に対しても多少のがたをもって係合している。70は調整ねじで、これを回転することによりキャリッジ軸3のＰ5位置を下方向に押圧可能である。以上のように左右の両側板に対して調整機構を設けたことにより、間隔Ｇ調整時において、側板6及び側板50にかかる力が1/2程度にできるため、側板6及び側板50まわりの剛性等を必要以上に強くする必要がなくなり、コストアップ要因とならない。
【図面の簡単な説明】
【００１１】
【図１】本発明のインクジェット記録装置の第1実施例を示す概略断面図である。
【図２】本発明のインクジェット記録装置の第2実施例を示す概略断面図である。
【符号の説明】
【００１２】
1  キャリッジ
2  ヘッド
3  キャリッジ軸
4  プラテン
5  側板
6  側板
7  調整ねじ
【図１】
2007160874.tif 000003
【図２】
2007160874.tif 000004
(57)【要約】【課題】  吸い込んだインクミストの廃液処理。【解決手段】  ミストとエアーを吸い込む吸引手段を設け、吸気口、フィルター、液状化部、吸引ファン、排気口の順で風路上に配置する。インクミストをフィルターに通して液状化して、その廃液を貯留する廃液タンクを設ける。廃液タンクは、満杯時には交換可能とする。【選択図】  図２
2007160871.tif 000002
【特許請求の範囲】
【請求項１】
記録部においてインクを吐出する記録ヘッドを用いて記録媒体に記録を行うインクジェット記録装置において、
前記記録部から空気を吸い込む吸気口と、
空気を装置外に排出する排気口と、
前記吸気口と排気口を結ぶ空気流路と、
前記吸気口から前記空気流路を通って前記排気口にいたる空気流を発生させるファンと、
前記空気流路に設けられ、空気流に含まれるミストを液化するフィルターと、
前記フィルターによって液化されたミストを貯留する着脱可能なタンクと
を有することを特徴とするインクジェット記録装置。
【発明の詳細な説明】
【技術分野】
【０００１】
本発明は、プリンター、複写機、ファクシミリ等の出力機器に搭載されるインクジェット記録装置に関する。
【背景技術】
【０００２】
インクジェット記録装置では、インクを吐出して画像を記録（印字という）する際に、印字に拘わる主滴に伴い、細かい霧状の液滴(インクミスト)を発生することがある。インクミストは、主滴に比べ微小な液滴であって移動速度が著しく遅く、その大部分は記録媒体に着弾しない。そのため、キャリッジの往復移動による気流によって記録装置内部の空気に拡散して、空気中を浮遊している。
【０００３】
従来例としては、例えば特許文献１と特許文献２をあげることが出来る。
【特許文献１】特開２００２−１４４６５０号公報
【特許文献２】特開２００１−１７１２０３号公報
【発明の開示】
【発明が解決しようとする課題】
【０００４】
このようなインクミストをファン等の吸気手段で吸い込み、単にそのまま記録装置外に排気することは容易なことであるが、それでは、周囲を不要に汚してしまう。しかし、インクミストは、微細ながらも液滴であって、粉体や固形物とは異なる。そこで、記録装置内において、インクミストを液状化させ、排気はクリーンなエアーとする必要がある。
【０００５】
本発明は、インクミストを記録装置内部から吸気したインクミストを液状化させ、その際に溜まる廃液を容易に処理できるインクジェット記録装置を提供することを目的とする。
【課題を解決するための手段】
【０００６】
上記目的を達成するための本発明の構成は、  記録部においてインクを吐出する記録ヘッドを用いて記録媒体に記録を行うインクジェット記録装置において、前記記録部から空気を吸い込む吸気口と、空気を装置外に排出する排気口と、前記吸気口と排気口を結ぶ空気流路と、前記吸気口から前記空気流路を通って前記排気口にいたる空気流を発生させるファンと、前記空気流路に設けられ、空気流に含まれるミストを液化するフィルターと、前記フィルターによって液化されたミストを貯留する着脱可能なタンクとを有することを特徴とするインクジェット記録装置である。
【発明の効果】
【０００７】
本発明によれば、インクミストを記録装置内部から吸気したインクミストを液状化させ、その際に溜まる廃液を容易に処理できるインクジェット記録装置を提供することができる。
【発明を実施するための最良の形態】
【０００８】
図１は、インクジェット記録装置の全体斜視図である。
【０００９】
図２は、吸気手段の構成例１。
【００１０】
図３は、吸気手段の構成例２。
【００１１】
（第一の実施形態）
記録ヘッド２を搭載したキャリッジ１のスキャン動作によって、インクミストが記録装置機内に発生する。吸気手段２０よって、インクミストを吸気する。
【００１２】
エアーの流れ順に、説明する。
【００１３】
エアーは吸気口７から、ダクト３を通って、中間タンク５、吸気ファン８、排気口９の順で記録装置機外へ流れる。エアーフローは、気流Ｆで示す。
【００１４】
吸気口７は、キャリッジ１のガイドレール３１と、用紙を搬送するローラ３２の間に配置され、キャリッジの印字部近傍にあって、インクミストを吸い込む。図では、６箇所ある。
【００１５】
ダクト３は、フィルター４で敷き詰められている。フィルター４は、発砲ウレタン性、繊維径０．３〜１ｍｍで、密度は１インチ当り８孔（孔径約３ｍｍ程度）のものが最適である。エアーが通過する長さとしては、１０〜２００ｍｍの長さが最適である。数ｍｍの風路だと、インクミストは衝突しきれずに排気口まで通過してしまう。微細な液滴であるインクミストは、フィルター４の網目の中をエアーと共に侵入し、フィルター繊維に幾度も衝突して、液状化する。この液状化を促進するために、気流を偏向する目的で、偏向板２１、２２を設けている。偏向板付近で、気流をウェーブさせている。
【００１６】
ファン通過後の気流Ｅは、クリーンなエアーとなる。
【００１７】
液状化したインクミストは廃インク滴１０３となって、中間タンク５に溜まる。中間タンク５に連結管１０を介して、廃液タンク６が設けられている。廃液タンク６は、連結管１０で、中間タンク５と着脱可能である。廃液は、中間タンク５にある程度溜まると、連結管１０から廃液タンク６に流れる。廃液タンク６には、満杯センサー１１を設けている。満杯時には、廃液タンク６を交換する。
【００１８】
（第二の実施形態）
前述の構成において、吸気ファン８としては、回転翼を持った遠心式のファンが静圧ダウンは小さく、エアー流量が大きくとれて、最適である。しかしながら、液状化しきれない僅かのインクミストが、その回転翼まで到達して累積すると、吸気ファン８の直後付近に液溜まりができる。１２は、そのドレインであって、廃液タンク６の上部で、連結している。このように、廃液の収集を吸気ファン前後で行うことにより、排気をクリーンとしながらも、且つ集まった廃液を容易に交換できる。
【図面の簡単な説明】
【００１９】
【図１】インクジェット記録装置の全体斜視図である。
【図２】吸気手段の構成例１。
【図３】吸気手段の構成例２。
【符号の説明】
【００２０】
１  キャリッジ
２  記録ヘッド
３  ダクト
４  フィルター
５  中間タンク
６  廃液タンク
７  吸気口
８  吸気ファン
９  排気口
１０  連結管
２０  吸気手段
Ｆ  気流
【図１】
2007160871.tif 000003
【図２】
2007160871.tif 000004
【図３】
2007160871.tif 000005
(57)【要約】      （修正有）【課題】従来の超小形ドライバーの形状は、握り部に差替え式にスタッビー（短いドライバービットの俗称）を差し込んで使うものが大半である。  その技術によれば、ポケットに入れておくとドライバーの先端で、作業服に穴が開く、転んだ時に危ない、嵩張る、等の問題が有り、絶えず携帯することが出来なかった。そこで、絶えず携帯出来るドライバーを提供する。【解決手段】握り部分の直径が硬貨と同じ長さとした。また、（メガネドライバー等）多機能ツールの機能も追加した。【選択図】図１
2007160475.tif 000002
【特許請求の範囲】
【請求項１】
握り部分の直径が硬貨と同じ長さであることを特徴とするドライバー。
【請求項２】
多機能ツールの機能を追加したことを特徴とする請求項１記載のドライバー。
【発明の詳細な説明】
【技術分野】
【０００１】
この発明は、握り部分の直径が硬貨と同じことを特徴とする差換式ドライバー。
【背景技術】
【０００２】
従来の超小形ドライバーの形状は、図５に示すように、握り部に差替え式にスタッビー（Stubby短いドライバー俗称、以下この名称）を差し込んで使うものが大半である。
【発明の開示】
【発明が解決しようとする課題】
【０００３】
しかしながら、以上の技術によれば、ポケットに入れておくとドライバーの先端で、    作業服に穴が開く、転んだ時に危ない、嵩張る、スタッビーは外しておくと紛失しやすい等の問題が有り、絶えず携帯することが出来ないがいつもドライバーがあればと思う事例は多い。  そこで、この発明は、絶えず携帯出来るドライバーを提供することを課題とする。
【課題を解決するための手段】
【０００４】
以上の課題を解決するために、第一発明は、握り部分の直径が硬貨と同じであることを特徴とする差換式ドライバーである。  また、第二発明は、多機能ツールの機能を追加したことを特徴とする差換式ドライバーである。
【発明の効果】
【０００５】
絶えず携帯が可能なので、ドライバーを取りに行く時間が、倹約出来る。直径が、硬貨と同じなので、小銭入れに常駐させることが出来る。ズボン、スカート等のコインポケットを本発明のケースとして活用出来る。円形の外形のため、衣服生地その他を傷めない。
【発明を実施するための最良の形態】
【０００６】
この発明の一実施形態を、図１に示す。
各国の流通量が多く好適な直径の硬貨を、想定しています。日本国の５００円硬貨の直径は約２６．５ｍｍで、今回の考案はこの数字を元に設計しています。  著名なケネディ大統領のアメリカ合衆国５０セント硬貨などは直径約３０．６ｍｍの白銅貨です。  ドライバー本体は、軽量で強い金属製、軽量な金属としては、アルミ合金、ステンレス合金、チタン合金、マグネシウム合金等がある。抗菌仕様が望ましい。  外装は樹脂も可能で、直径は２６．５ｍｍ、厚みは７ｍｍ位。フタにはカメラネジ風の大ピッチのネジ、先端はメガネ用マイナスドライバー。スタッビーは材質はクロームバナジウム鋼等で、６ｍｍの４角で中心に本体に収納する際使うシャフト穴があります。通常のスタッビーソケット部は６角形状ですが、本発明では、４角です。  スタッビー用ソケットの底にはスタッビーの回転ロック用の十字型の溝が有ります。  その結果（−）側用ロック溝では６角、（＋）側用ロック溝では８角の回り止めとなります。
十分なネジ回し時の抗力を得るために、以下の設計がしてあります。但し本発明品はスタッビーが差替式のため強度は正規のドライバーには及びません。
４角のスタッビー側面とスタッビーソケット側面が密着する構造と仕上げ。
スタッビーを差し込んだ本体奥に十字型の切れ込みが有り、ネジ回し時の抗力を得る。
大直径のフタをきつく締めることにより、ソケットでスタッビーを更に締める。
スクレーパー時用ネジシャフトにフタをしっかり固定すると回転トルクが増します。
通常の使用手順は以下のとうり
３回転位でフタをはずす。
スタッビー取り出し。
スタッビーソケット部のシャッターを開ける。
スタッビーをソケットにセットし奥にロック。
蓋をしめる、力を込めるネジ回しの時は、きつく閉める。
他に持っている機能はメガネドライバー、スクレーパー、コインドライバー、デンタルフロスホルダー（商品名Frossie）などです。
【０００７】
「実施形態の効果」
この実施形態によれば、絶えず携帯出来るし、各種道具装置に内蔵することも可能となる。
【０００８】
「他の実施形態」
身の回り品への内蔵化、携帯電話、ベルトのバックル、キーホルダー、キーの握り部分への応用。各種道具装置に内蔵する。磁石シールなどを活用し、作業場所の近くに貼り付ける。スイスアーミーナイフのような多機能ツールの機能を追加する。例えば、LEDライト、笛、コンパス、日時計、ミラー、カッター、ボールペン、予備バッテリー、ラジオ、簡易型検電機などです。特殊用途のスタッビーも考えられます。例えば、ボールペンなどです。外装を抗菌の各種素材で作製することも可能。
【図面の簡単な説明】
【０００９】
【図１】この発明の一実施形態を示す斜視図である。
【図２】発明の内部（フタを外した状態）
【図３】スタッビー（短いドライバービットの俗称文中この名称）
【図４】フタ部分、本体スタッビーソケット部をスタッビー差込口方向より見る（シャッターは開）
【図５】従来の超小形ドライバー
【図６】他の実施形態の内部構造概念図
【符号の説明】
【００１０】
「図１」における符号
１  本体                                ２  スタッビー（−）側
３  フタ（ネジ付き）                    
「図２」における符号
１  スタッビー（+）側                   ２  スタッビー（−）側
３  フタネジ用シャフト                  ４  スクレーパー時用ネジシャフト
５  ソケット用シャッター
「図３」における符号
１  （+）側スタッビー                   ２  フタネジ用シャフト
３  方位表示                            ４（−）側スタッビー
「図４」における符号
１  フタ                                ２  大ピッチネジ
３  メガネ用ドライバー                  ４  本体側面
５  （−）側用ロック溝                  ６  （＋）側用ロック溝
７  スタッビー用ソケット入り口
「図５」における符号
１  スタッビー（+）側                    ２  スタッビー用ソケット
２  握り
「図６」における符号
１  白色ＬＥＤライト                      ２ スタッビー格納壁
３  スイッチ、電池、ラジオ                ４  スクレーパー時用ネジシャフト
５  スタッビー用ソケット                  ６  ソケット補強部品
【図１】
2007160475.tif 000003
【図２】
2007160475.tif 000004
【図３】
2007160475.tif 000005
【図４】
2007160475.tif 000006
【図５】
2007160475.tif 000007
【図６】
2007160475.tif 000008
(57)【要約】【課題】  高合金鋼の連続鋳造により鋳造した断面角形状の鋳片を分塊圧延する際に発生する熱間圧延疵を防止するため、鋳片コーナー部の温度低下を防止する方法を提供する。【解決手段】  連続鋳造により鋳造した断面角形状の鋳片１を分塊圧延するに当たり、加熱前に鋳片の長手方向の４コーナー部の全てをグラインダーにて面取り除去して２０Ｃから５０Ｃの面取り部４を形成することにより、長手方向のコーナー部２の温度低下を防止することにより、高合金鋼の鋳片１の分塊圧延時の疵の発生を防止する。【選択図】      図１
2007160379.tif 000002
【特許請求の範囲】
【請求項１】
連続鋳造により鋳造した断面角形状の鋳片を加熱炉から抽出し、分塊圧延するに当たり、鋳片長手方向コーナー部を面取りすることよって、コーナー部の温度低下を防止することを特徴とする高合金鋼の分塊圧延時の疵を防止する製造方法。
【発明の詳細な説明】
【技術分野】
【０００１】
本発明は、高合金鋼の連続鋳造により鋳造した断面角形状の鋳片を分塊圧延する際に発生する熱間圧延疵を防止する方法に関する。
【背景技術】
【０００２】
たとえば、ステンレス鋼、工具鋼、耐熱鋼のような高合金鋼は、鋳片を加熱し、分塊圧延を行う際に鋳片のコーナー部に疵が発生しやすく、これが歩留まり低下の大きな原因になっている。
【０００３】
特に、これらのステンレス鋼、工具鋼、耐熱鋼のような高合金鋼は、普通鋼に比べて変形抵抗が大きく、しかも変形能が劣るため、熱間圧延に際して欠陥部分が生じやすく、特に鋳片のコーナー部に疵が発生する。
【０００４】
鋳片のコーナー部は面部に比較して温度低下が速いため、鋳片のコーナー部の加工性は面部の加工性に比べて低下する。
【０００５】
従来の高合金鋼の圧延疵の防止方法は、造塊にて製造した鋼塊を圧延する際に、その鋼塊のコーナー部の形状を最適コーナーＲに設定することによってコーナー疵を防止するというものであった（例えば、特許文献１参照。）。
【０００６】
ところで、この方法は、造塊により鋼塊の製造する場合、鋳型を変更することで容易に対応できるが、連続鋳造の場合には、鋳造毎に鋳片形状を変更することは難しい。
【０００７】
【特許文献１】特開昭５２−１１７８１５
【発明の開示】
【発明が解決しようとする課題】
【０００８】
本発明が解決しようとする課題は、高合金鋼の連続鋳造により鋳造した断面角形状の鋳片を分塊圧延する際に発生する熱間圧延疵を防止するため、鋳片コーナー部の温度低下を防止する方法を提供することである。
【課題を解決するための手段】
【０００９】
本発明の鋳片の圧延方法は、連続鋳造により鋳造した断面角形状の鋳片を分塊圧延するに当たり、加熱前に鋳片の長手方向の４コーナー部の全てをグラインダーにて面取り除去することにより、コーナー部の温度低下を防止することを特徴とする高合金鋼の分塊圧延時の疵を防止する製造方法である。
【発明の効果】
【００１０】
本発明の方法は、連続鋳造により鋳造した断面角形状の鋳片のコーナー部の面取りを実施して分塊圧延することによって、コーナー部の温度低下を防止して圧延時のコーナー疵の発生を防止することができ、歩留まりを向上させることができる。
【発明を実施するための最良の形態】
【００１１】
本発明を実施するための最良の形態について図面を参照して説明する。従来の鋳片の形状を図３に示し、連続鋳造で得られた鋳片の長手方向のコーナー部の面取り除去を行った本発明の形状を図１に示し、面取り除去を行わない従来の鋳片の形状を図３に示す。図１に示す鋳片の長手方向の４コーナー部の面取りは、グラインダーによって実施するものとする。
【実施例１】
【００１２】
連続鋳造によるＳＵＳ３０３の図３に示す断面の大きさ３８０ｍｍ×４９０ｍｍの鋳片１において、グラインダーにて長手方向コーナー部２の各稜を、図２に示すように、３０ｍｍずつ面取りした３０Ｃの面取り部４を実施し、一方、比較のために長手方向コーナー部２を面取りすることなく、図３に示すままとした。これら２種の形状の鋳片１を加熱炉で分塊圧延温度に加熱して分塊圧延を実施した。この実施例では、面取りを３０Ｃの面取り部４としたが、図４のコーナー部の面取り量とコーナー部の低下温度の関係のグラフに示すように、コーナー部の面取り量が少なければ、コーナー部の温度低下が大きい。また、図５のコーナー部の面取り量と疵不良率（％）の関係のグラフに示すように、コーナー部の面取り量が少なければ、疵不良率も高くなる。しかし、コーナー部の面取り量が大きくなれば、作業効率が低下する。そのため、不良の低減と作業効率を勘案すると、長手方向コーナー部２の面取りは、少なくとも２０Ｃ〜５０Ｃの範囲とするのが良い。
【００１３】
分塊圧延前の鋳片コーナー部の温度をサーモグラフィーにて測定すると、長手方向コーナー部２を３０Ｃの面取り部４に実施したものは、面取り無しのものに比べて約４０℃温度が高く、したがって約４０℃温度低下を防止することができたことがわかる。
【００１４】
このように、長手方向コーナー部２の温度低下を防止することで、加工性を低下させることなく熱間圧延することができ、この結果、疵の発生を防止できた。
【００１５】
すなわち、熱間圧延した鋼材について、目視検査にて疵の発生の有無を確認した。この場合、１本の圧延鋼材中に１箇所でも疵があるものを不良とすることで疵の確認を行った結果、従来、不良率が５．１％であった、すなわち４９０本の圧延鋼材中に２５本の不良の鋼材があったものが、不良率が１．１％まで、すなわち５５０本の圧延鋼材中に６本の不良の鋼材まで、低下することができた。
【００１６】
また、ＳＵＳ３０３以外の高合金鋼においても、図４で示す関係と同様の傾向があり、長手方向コーナー部２の面取りを実施することで、長手方向コーナー部２の温度低下を防止でき、その結果、熱間圧延時のコーナー部の疵の発生を防止することができた。
【図面の簡単な説明】
【００１７】
【図１】本発明の面取り後の長手方向コーナー部を有する鋳片を示す図である。
【図２】面取り後の長手方向コーナー部を示す図である。
【図３】面取りされていない鋳片を示す図である。
【図４】コーナー部の面取り量とコーナー部の低下温度の関係を示すグラフである。
【図５】コーナー部の面取り量と疵不良率の関係を示すグラフである。
【符号の説明】
【００１８】
１  鋳片
２  長手方向コーナー部
３  面取り後の長手方向コーナー部
４  面取り部
【図１】
2007160379.tif 000003
【図２】
2007160379.tif 000004
【図３】
2007160379.tif 000005
【図４】
2007160379.tif 000006
【図５】
2007160379.tif 000007
(57)【要約】      （修正有）【課題】利用者の顔にフィットし、マスクからずれ難く簡単に鼻汁を吸収できるシートを提供する。【解決手段】紙製の吸収シート４の本体の両側、下部に紙で安全にコーティングした細いワイヤー１，２がついている。ワイヤーで市販のマスクに固定できるとともに、折り紙の要領で利用者の顔に合わせることができる。【選択図】図１
2007160024.tif 000002
【特許請求の範囲】
【請求項１】
市販のマスクに装着し鼻汁を吸収することを特徴とし折り紙の要領で顔の大きさに合わせられることを特徴とする水鼻吸収シート。
【発明の詳細な説明】
【技術分野】
【０００１】  この発明はマスクに用いるシート、形状に関する。
【特許文献１】特開２００１−３２７６１５号公報
【背景技術】
【０００２】  現在特許を取られているものは鼻汁・涙・唾液を吸収蓄積するものである。また市販されているマスクの中に使用するシートはフラットである。
【発明の開示】
【発明が解決しようとする課題】
【０００３】しかしながら、以上の技術によれば、特許品に関しては大掛かりで実用性に欠ける。また特許品・市販のシートどちらも利用者の顔にフィットさせるのは難しい。
そこで、この発明は、利用者の顔にフィットし、マスクからずれ難く簡単に鼻汁を吸収できるシートを提供することを課題とする。
【課題を解決するための手段】
【０００４】  以上の課題を解決するために、第一発明は、ワイヤーで市販のマスクに固定できることを特徴とする水鼻吸収シートである。
また、第二発明は、折り紙の要領で利用者の顔に合わせることが出来ることを特徴とする水鼻吸収シートである。
【発明の効果】
【０００５】  第一発明、または第二発明によれば、鼻汁シートをよりコンパクトにしワイヤーによってズレを防止、さらに折って顔の大きさに合わせることで、実用的になり利用しやすくなった。
【発明を実施するための最良の形態】
【０００６】  この発明の一実施形態を、図１に示す。
鼻吸収シートの本体は紙製であり、本体の両側・下部には紙で安全にコーティングした細いワイヤーがついている。シートは吸湿性・通気性の高い素材を利用する。【０００７】「実施形態の効果」
この実施形態によれば、ワイヤー１をマスクの外側に掛け止めることでズレを防止する。紙吸収シートごと巻上げワイヤー２で固定することができ利用者の顔に合わせることが出来る。【０００８】「他の実施形態」
図１の実施形態では、本体は紙シートであったが、少量鼻汁の場合下部の紙吸収シートを取り替えることでいつも清潔に使え本体部分を数回繰り返し使用することが可能。他の実施形態では、綿状の柔らかい吸収体をシート下部に付けそれを芯に巻き上げる強力吸収のものでも良い。  またシート自体にアロマ精油成分（ペパーミント、ユーカリ、ローズマリーなど）を加えることで鼻の不快感にもアプローチする。
【図面の簡単な説明】
【０００９】
【図１】この発明の一実施形態を示す斜視図である。
【図２】水鼻シートをマスクに引っ掛けた内側からの図
【図３】同シートの下部を巻き上げた内側からの図
【図４】同シートを折った斜視図
【図５】鼻孔に合わせて固定した斜視図
【図６】従来技術を示す斜視図である。
【符号の説明】
【００１０】      １  紙コーティングワイヤー            ２  紙コーティングワイヤー
３  紙製シート                        ４  紙吸収シート
【図１】
2007160024.tif 000003
【図２】
2007160024.tif 000004
【図３】
2007160024.tif 000005
【図４】
2007160024.tif 000006
【図５】
2007160024.tif 000007
【図６】
2007160024.tif 000008
(57)【要約】      （修正有）【課題】便座の上に置く作業のみで使用することが可能で、便座からずれ難い、水洗式洋式トイレ用の使い捨て便座カバーを提供する。【解決手段】水溶性の紙を裁断加工および成型加工することによって、立体的形態の便座カバーにする。【選択図】図２
2007160036.tif 000002
【特許請求の範囲】
【請求項１】
水溶性の紙を裁断加工および成型加工した、立体的形態の便座カバー。
【発明の詳細な説明】
【発明の詳細な説明】
【技術分野】
【０００１】  本発明は、水洗式洋式トイレの便座と使用者の肌が直接触れないようにする目的で便座に被せて使用する便座カバーに関し、使用者が、トイレットペーパーと同様に使い捨てに出来る水溶性の紙を素材とした便座カバーに関するものである。
【背景技術】
【０００２】  従来の水溶性の紙を素材とした使い捨ての便座カバーは、使用者が折りたたまれた状態の紙を広げたり、ミシン目の部分を手で切ったり、便座への取り付け作業を必要としたり、または便座カバーを便座の位置に注意深く合わせながら静置して使用するものであった。
【発明が解決しようとする課題】
【０００３】  従来の使い捨て便座カバーは、使用者が使用する過程において、折りたたまれた状態から広げたり、ミシン目を切り取ったり、または、便座に固定させる為の一連の作業を負荷するものであった。また、便座カバーを便座の上に単純に置いて使用する便座カバーの場合は、便座カバーを便座の位置に適切に合わせる必要があるが、便座カバー自身が紙質で軽量な為、便座カバーが便座の当該位置からずれ易く、便座に座る際に、便座カバーの位置がずれないように使用者が注意を要するものであった。便座カバーが便座の位置からずれた場合は、使用者が再度、腰を浮かし、便座カバーの位置の修正が必要であった。
【課題を解決するための手段】
【０００４】  水溶性の紙を裁断加工および成型加工することによって、立体的形態の便座カバーにする。
【発明を実施するための最良の形態】
【０００５】  以下、本発明の実施の形態について説明する。
図１は、水洗式洋式トイレ全体の内、使用者が座る部分についての斜視図である。便器（１）と便座（２）からなる。図２は、本発明の形態例の便座カバー（３）の斜視図である。使用者が便座カバーに座った際の使用者の大腿部に接触する部分（４）を、鞍型に成型加工したものである。図３は、図２の便座カバー（３）を、便座（２）および便器（１）の上に装着した状態の正面断面図で示す。便座カバー（３）の鞍型に成型された部分（４）が便座（２）に立体的に嵌められて、便座カバー（３）全体が便座（２）に固定される。図４は、本発明の他の形態例の便座カバー（５）である。便座カバーの側部から前部にかける外側部分が下方に垂れる鍔の状態（６）に成型加工したものである。図５は、便座カバー（５）を、便座（２）および便器（１）に装着した状態の正面断面図で示す。便座カバー（５）の下方に垂れた鍔の部分（６）が、便座（２）の外周に立体的に嵌められて、便座カバー（５）が便座（２）に固定される。
【発明の効果】
【０００６】  本発明の便座カバーは、予め裁断加工および成型加工した立体的形態である為、便座カバーを、便座の位置に合わせながら、便座の上に置くだけでよい。使用者が便座カバーを広げたり、切り取ったり、取り付けたりする作業が不要である。立体的に成型してある部分は、便座に対する便座カバーの水平方向の固定機能を有する為、便座カバーの便座に対する位置ずれが生じ難い。使用者は、便座カバーの便座に対する位置ずれに注意をはらう必要がなくなる。また、位置ずれが生じ難い為、位置の修正の必要もない。
【図面の簡単な説明】
【図１】水洗式洋式トイレ全体の内、使用者が座る部分についての斜視図である。
【図２】本発明の便座カバーの形態例の斜視図である。
【図３】図２の便座カバーを、便座および便器に固定した状態の正面断面図である。
【図４】本発明の便座カバーの他の形態例の斜視図である。
【図５】図４の便座カバーを、便座および便器に固定した状態の正面断面図である。
【符号の説明】
１  便器
２  便座
３  便座カバー
４  便座カバーの全体の内、立体的に成型された部分
５  他の形態例の便座カバー
６  他の形態例の便座カバーの全体の内、立体的に成型された部分
【図１】
2007160036.tif 000003
【図２】
2007160036.tif 000004
【図３】
2007160036.tif 000005
【図４】
2007160036.tif 000006
【図５】
2007160036.tif 000007
(57)【要約】【課題】ストレス社会である現代に様々な癒しのための装飾品が氾濫しているが、更なる癒しのための装飾品を新しく考案したい【解決手段】本考案はパワーストーンの理念とオーラソーマの理念の双方を組み合わせた新しい装飾品で２つの天然石又は加工された石を用いオーラソーマの理念に基づいた配色にデザインしたものである。【選択図】図１
2007160039.tif 000002
【特許請求の範囲】
【請求項１】
パワーストーンの理念とオーラソーマの理念の双方を組み合わせた新しい装飾品。
【請求項２】
２つの天然石又は加工された石を用いて、英国のオーラソーマの理念に基づいた２色の配色を実現することによって、石そのものにメッセージや癒しの効果があるといわれているパワーストーンの理念と英国のオーラソーマの理念の双方を組み合わせた装飾品。
【請求項３】
英国のオーラソーマの理念とパワーストーンの理念の双方を組み合わせ、オーラソーマの理念に基づいた配色を天然石又は加工された石で表現しより多くの意味やメッセージ、癒しの効果を期待するためデザインされた装飾品。
【発明の詳細な説明】
【技術分野】
【０００１】この発明はパワーストーンの理念とオーラソーマの理念の両方を用いた装飾品に関する。
【背景技術】
【０００２】現代のストレス社会において、様々な種類の癒しのための装飾品が氾濫しているがオーラソーマの理念に基づく装飾品とパワーストーンの理念に基づく装飾品が別々に存在している。
【非特許文献１】マイク・ブース    野田幸子著  オーラソーマハンドブック    １９９９年  東京印書館
【非特許文献２】八川シズエ著    好物図鑑パワーストーン百科全書  ３３１  先達が語る鉱物にまつわる叡智    ２０００年  ファーブル館
【０００３】オーラソーマの理念に基づく装飾品は、配色を表現するための手段として宝石を用いている。
【特許文献１】特許公開２００３−１３５１１４
【発明の開示】
【発明が解決しようとする課題】
【０００４】しかしながら本発明ではオーラソーマの理念だけでなく、石そのものにメッセージや癒しの効果があるといわれているパワーストーンの理念にも着眼点を置き、双方を利用してさらなるセラピー効果を提供することを課題とする。
【課題を解決するための手段】
【０００５】以上の課題を解決するために本発明ではオーラソーマの理念に基づく配色を実現する際にパワーストーンである２つの天然石又は加工された石を使用するというデザインを施した装飾品である。
【発明の効果】
【０００６】本発明の提供によりオーラソーマの理念に基づかない組み合わせの配色及び、石ではないプラスチックなどの合成物質を使用した素材の装飾品との混合を防ぐことが出来る。
【発明を実施するための最良の形態】
【０００７】この発明の一実施形態を図１に示す。
装飾品の本体の形は指輪や首飾りなど形状に条件はないが、図１は指輪の例である。オーラソーマの理念に基づく配色を実現するために２つの天然石又は加工された石を用いなければならない。
【他の実施形態】
【０００８】この発明はオーラソーマの理念とパワーストーンの理念の両方を取り入れるという意匠なので本体の形や素材は様々なデザインに応用することが出来るという利点がある。
【図面の簡単な説明】
【０００９】
【図１】この発明の一実施形態を示す上面図である。
【図２】この発明の一実施形態を示す断面図である。
【符号の説明】
【００１０】１指輪本体
２加工された石
【図１】
2007160039.tif 000003
【図２】
2007160039.tif 000004
(57)【要約】      （修正有）【課題】  本発明は、料理や食事時に料理を突き刺したり、開いたり、切ったりしにくいという課題を解決するために発明された、先端部を尖らせた箸を提供する。【解決手段】  一対の棒状の箸１で、口にする方の箸の先端部２を斜めに切り落とし、尖らせることにより諸課題を解決させるものである。【選択図】図１
2007160035.tif 000002
【特許請求の範囲】
【請求項１】
一、  一対の棒状の箸（１）で、口にする方の箸の先端部（２）を斜めに切り落として尖らせたことを特徴とする箸。
以上の如く構成された先端部を尖らせた箸。
【発明の詳細な説明】
【技術分野】
【０００１】  本発明は、箸の口にする方の先端部を斜めに切り落とし尖らせた箸に関するものである。
【背景技術】
【０００２】  従来の技術では、料理や食事時に料理を突き刺したり、開いたり、切ったりする時、先端が丸く、力がいったり、うまく開いたり、切ったりしにくかった。
【発明の開示】
【発明が解決しようとする課題】
【０００３】  したがって従来の技術では、料理を突き刺したり、開いたり、切ったりする時、うまく突き刺したり、開いたり、切ったりしにくく不都合であった。
【課題を解決するための手段】
【０００４】  上記課題を解決するための手段として、一対の棒状の箸（１）で、口にする方の箸の先端部（２）を斜めに切り落とし尖らせたことを特徴とする箸である。
【発明の効果】
【０００５】  本発明の効果は、料理や食事時に料理を突き刺したり、開いたり、切ったりすることを容易にする効果がある。
【発明を実施するための最良の形態】
【０００６】  本発明の実施形態を述べると、請求項１は、一対の棒状の箸（１）で、口にする方の箸の先端部（２）を斜めに切り落とし尖らせて料理を突き刺したり、開いたり、切ったりしやすくする箸である。
【図面の簡単な説明】
【０００７】
【図１】本発明の外観図
【符号の説明】
【０００８】  １は一対の棒状の箸
２は口にする方の箸の先端部
【図１】
2007160035.tif 000003
(57)【要約】      （修正有）【課題】  災害時、緊急時、介護等、排泄で一番困るのは女性であり、一日に排泄する回数の多い尿の問題が主となる。本発明は時と場所を選ばず周りの人に気づかれることなく、速やかに用を足すことができる処理も簡単な使い捨てトイレを提供する。【解決手段】  コンパクトにたたまれているため、尿が吸収される部分２を下に引き下げ、枠１の中央部分に空洞４を作り折り曲げ線１ｃ前方部分１ａを下着だけを少し下ろし直立した状態、又は膝を立てた状態で患部に密着、大腿部で挟み固定し排尿する。ズボンや、スカートはそのまま身に着けているため、周りの人に気づかれることなく排泄出来る。汚物はビニール袋に入れることで臭わず簡単に処理できる。災害等の用意に常備しておくことができる。【選択図】図１
2007160032.tif 000002
【特許請求の範囲】
【請求項１】
（イ）枠１の形は、前方部分１ａが広がり、枠カーブ部分１ｄは狭く、枠後方部分１ｂで広く、骨のような形になっていることで、大腿部に沿い股に挟みやすい大きさになっている。
（ロ）尿が排出される枠の円５は、尿が飛び散らない大きさになっており、回りは、尿が漏れないように防水作用されている。
（ハ）中央の空洞部分３は、排尿する時に患部に触れないため、不快感なく排泄できる。
（ニ）吸収面２には吸収剤、表面剤を使用、全体に防水フィルムで覆われている素材である。
（ホ）コンパクトであり常備しておくことができる。
以上の如く構成されたコンパクト簡易トイレ。
【発明の詳細な説明】
【技術分野】
【０００１】本発明は、災害時、緊急時、介護等に排尿を我慢することなく人目に触れず使える処理の簡単なものである。
【背景技術】
【０００２】従来は、仮設トイレに行き並ばないと排泄できなかった。【０００３】
【特許文献１】特許公開２００５−１９２７１０
【発明の開示】
【発明が解決しようとする課題】
【０００４】災害時、日常トイレに困った場合、女性はトイレのある場所に行かなければ使用できなかった。仮説トイレは数が少なく長時間並んだり、多くの人が使うことで、汚物も溜まり不衛生のため、トイレを我慢し健康を害するなど困難なことが多くみられた。本発明はこの課題を解決するためのものである。
【課題を解決するための手段】
【０００５】本発明を大腿部で密着、固定することで直立した状態、又は膝を立てた状態で排泄できるためトイレのある場所に行く事はなく排尿したい時にいつでも人目に触れることなく排泄できる。尿は吸収されるため、使用後はビニール袋に入れることで臭わず簡単に処理できる。
【発明の効果】
【０００６】本発明を大腿部で挟むことで密着固定し、女性でも直立した状態、膝を立てた状態で排泄できるためいつでも何処でも老若男女問わず、排尿を我慢することなく使用できる。又コンパクトのため常備して置くことができる。
【発明を実施するための最良の形態】
【０００７】以下、本発明の実施の形態を説明する。
（イ）コンパクトに折りたたまれている。図１  図２
（ロ）吸収面２底中央を引き下げ、枠１中心に空洞部分３をつくる。
（ハ）折り曲げ線１ｃで枠前方部分１ａを折り曲げる。【０００８】（イ）直立し足を開いた状態、又は膝を立てた状態で下着だけを少し下ろす。
（ロ）本発明を股に挟み密着、固定する。枠前方部分１ａは尿が飛び散らないよう折り曲げられており、下腹部に密着させる。
（ハ）枠カーブ部分１ｄは大腿部に沿った形になっており、挟むことで直立した状態でも落ちることはなく違和感もない。
（ニ）尿の排泄される空洞３は患部に触れることがないため、不快感なく排尿することができる。
（ホ）尿が排泄される枠の円５は尿が飛び散らない大きさであり、吸収面２には尿を通さないフィルムで覆われているため、尿が漏れなく排泄できる。
（ヘ）枠１は、薄いダンボール紙のような肌に触れても温かみのある材質であり、大腿部で挟んでも崩れないよう工夫されているものが好ましい。
（ト）排泄時は、直立した状態で周りに気づかれず場所も狭いところ、車の中など時間場所を選ばず使用できる。
（チ）吸収面２に尿が浸透するため、使用後はビニール袋に入れ簡単に処理でき臭いもでない。
【図面の簡単な説明】
【０００９】
【図１】本発明、使用前の折り畳んだ状態を示す平面図である。
【図２】本発明、使用前の折り畳んだ状態を示す正面図である。
【図３】本発明を広げて使用する際の斜視図である。
【図４】本発明を広げて使用する際の断面図である。
【符号の説明】
【００１０】１    枠
１ａ  枠前方部分
１ｂ  枠後方部分
１ｃ  折り曲げ線
１ｄ  枠カーブ部分
２    吸収面
３    空洞部分
４    枠と吸収面との接着部
５    尿が排出される枠の円
【図１】
2007160032.tif 000003
【図２】
2007160032.tif 000004
【図３】
2007160032.tif 000005
【図４】
2007160032.tif 000006
(57)【要約】【課題】  腹筋運動は手軽な健康法の一つである。しかし、女性等は一人で行うことが困難な人が多い。このような問題を解決するための腹筋運動用足首押さえ具を提供する。【解決手段】  これらを解決するために、帯状本体の両端に広げると多様な中空部が形成されるよう構成した腹筋運動用足首押さえ具を製作する。使用方法は両端の中空部にペットボトル等の重しを入れる。次に帯状本体を足首の上に置く。このことによって足首が持ち上がらず一人で円滑な腹筋運動が可能となる。【選択図】図２
2007160034.tif 000002
【特許請求の範囲】
【請求項１】
帯状本体の両端に広げると中空部が形成される腹筋運動用足首押さえ具。
【発明の詳細な説明】
【技術分野】
【０００１】  本発明は、腹筋運動を一人で手軽に行える腹筋運動用足首押さえ具に関するものである。
【背景技術】
【０００２】  従来の腹筋運動補助具は、片足首づつ保持する（文献、特許開平９−２７６４４２）がある。また、平面板の上で両足首をバンドで固定する（文献、登録実用新案第３０００５４４号）がある。
【発明の開示】
【発明が解決しようとする課題】
【０００３】  以上に述べた従来の腹筋運動補助具は、取り扱いが困難であると同時に火災、地震等の緊急時に避難する即時対応が困難である。【０００４】  本発明は、このような従来品が有する問題点を解決して、手軽に一人で安全に腹筋運動を可能にする器具の実現を図ることを目的とするものである。
【課題を解決するための手段】
【０００５】  本発明は上記の目的を達成するために、帯状本体１の両端に広げると多様な中空部２が形成されることを特徴としたものである。両端の中空部２にはペットボトル等の重しを入れるものである。また、帯状本体・中空部の材質は柔軟な布等とする。
【発明の効果】
【０００６】  本発明は、上記で説明したように構成されたものであるので、次に記載されるような効果がある。【０００７】  第一には、帯状本体１が柔軟であるので足首になじみ違和感がない。【０００８】  第二には、緊急時に足首を固定していないので避難が簡単にできる。【０００９】  第三には、中空部に重しとしてペットボトルを使用すれば、災害時の緊急飲料水となる。【００１０】  第四には、他人に足首を押さえてもらう必要がないため、いつでも、どこでも一人で実行でき健康増進が図れる。
【発明を実施するための最良の形態】
【００１１】  発明の実施の形態を図面に基づいて説明する。第一には、各図から分かるように、帯状本体１の両端に広げると多様な中空部２が形成されることを特徴としている材質は柔軟な布等を使用するものである。【００１２】  第二には、中空部２を袋状としたもの。
【図面の簡単な説明】
【００１３】
【図１】平面図
【図２】正面図
【図３】底面図
【図４】右側面図
【図５】本発明にペットボトルを装着した平面図
【符号の説明】
【００１４】  １  帯状本体
２  中空部
３  ペットボトル
【図１】
2007160034.tif 000003
【図２】
2007160034.tif 000004
【図３】
2007160034.tif 000005
【図４】
2007160034.tif 000006
【図５】
2007160034.tif 000007
(57)【要約】【課題】  長財布は、紙幣、カード、硬貨、その他と一緒に使用する事が非常に便利である。本発明は財布内に収納された硬貨が、硬貨別に収容されかつ、開き部が大開き出来ることにより、硬貨の取出しが容易な、硬貨別収納大開き式長財布を提供する。【解決手段】  長財布の口金の内に硬貨入れポケットを設け、開口部を大きく開くことが出来る。口金を開閉した時、硬貨入れポケットのジャバラは、山折り谷折りを口金に添って立上がり、硬貨の溢れ出を防ぐ事が出来る。又硬貨入れポケットは、一体型と従来の長財布に後付けが出来る、単独のものと２通りとする硬貨別収納大開き式長財布である。【選択図】図２
2007160054.tif 000002
【特許請求の範囲】
【請求項１】
財布内に硬貨入れ用ポケットを設けたことを特長とする長財布であって、硬貨入れ用ポケットのジャバラ部及び仕切ジャバラ部は、中央に山折り・山折りの左右には谷折りを設け、口金の開閉時ジャバラ部及び仕切ジャバラ部は、立上がったままになり硬貨の飛び出しを防ぐことを、特徴とする硬貨別収納大開き式長財布。
【発明の詳細な説明】
【技術分野】
【０００１】  本発明は財布内に収納された硬貨が、硬貨別に収容されかつ、開き部が大開き出来ることにより、硬貨の取出しが容易な、硬貨別収納大開き式長財布に関するものである。
【背景技術】
【０００２】  従来の財布は、硬貨の収納に対して、開口部が狭く、収納部の底部に、硬貨が混在して収まり、取出すことが困難である。
【発明の開示】
【発明が解決しようとする課題】
【０００３】  次のような問題点があった。
（イ）財布の開口部が狭いため、指先で硬貨を摘むのが困難だった。
（ロ）硬貨が財布の底部にあるため、硬貨別に分けて計算しながら取出すことが困難である。
本発明は以上の問題点を解決するためになされたものである。
【課題を解決するための手段】
【０００４】  長財布の口金の内に硬貨入れポケットを設け、開口部を大きく開くことが出来る。口金を開閉した時、硬貨入れポケットのジャバラは、山折り谷折りを口金に添って立上がり、硬貨の溢れ出を防ぐ事が出来る。又硬貨入れポケットは、一体型と従来の長財布に後付けが出来る、単独のものと２通りとする。
【発明の効果】
【０００５】  長財布の口金が大きく開き、硬貨の選別が簡単、財布の底部に溜まった硬貨の取出しが容易であり、又財布側面に設けられた、ジャバラ部が高く、口金を開け閉めしても硬貨が内部から洩れ落ちることがない。
【発明を実施するための最良の形態】
【０００６】  以下、本件案の実施の形態を説明する。
（イ）  長財布（１）の開口部の中央に設けられた口金（２）の内側に硬貨入れポケット（３）を設ける。
（ロ）  硬貨入れポケット（３）にジャバラ（４）仕切ジャバラ（５）を中央に山折り（９）、山折りの左右には谷折り（１０）を設け、口金（２）は、口金支点軸（８）を介して開き角度を１２０度程度の開きが出来る。
（ハ）  長財布（１）の硬貨入れポケット（３）は一体で形成されるが、長財布（１）本体と硬貨入れポケット（３）は、面ファスナー（６）で着脱自在とする。
（ニ）  硬貨入れポケット（３）の前面には、ストッパー（７）を設け、硬貨入れポケット（３）から硬貨の滑り落ちを防止する。
（ホ）  硬貨入れポケット（３）の底部が口金支点軸（８）より上方に施することにより、口金（２）を開く事により図４に示すように底部がα部分だけ上昇し硬貨入れポケットの内側は平坦に近くなり、硬貨が硬貨別に取出し出来る。【０００７】  長財布（１）を開き、口金（２）を、開き角度を１２０度程度の開放した状態の時、ジャバラ（４）、仕切ジャバラ（５）、ストッパー（７）は収納した硬貨を、確保又は硬貨の落下する事なく、取出しが容易であり、口金（２）を閉じた時、長財布を横にしても逆さにしても硬貨は飛び出す事がない。
【図面の簡単な説明】
【０００８】
【図１】  本発明の斜視図
【図２】  本発明の使用状態の開きを示す斜視図
【図３】  本発明の分解斜視図
【図４】  本発明の開口時の側面図
【図５】  本発明の断面図
【符号の説明】
１  長財布
２  口金
３  硬貨入れポケット
４  ジャバラ部
５  仕切ジャバラ部
６  面ファスナー
７  ストッパー
８  口金支点軸
９  山折り
１０  谷折り
【図１】
2007160054.tif 000003
【図２】
2007160054.tif 000004
【図３】
2007160054.tif 000005
【図４】
2007160054.tif 000006
【図５】
2007160054.tif 000007